【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
道路データ、施設データ、交通データを含む複数のデータ種別の地図データにより構成されたカーナビゲーション用の地図を保持した記憶手段と、
マスタ地図を保管した地図センタから配信される前記地図の更新データにより、前記記憶手段に保持した地図をエリアおよびデータ種別ごとに更新する地図管理装置と、
カーナビゲーションのアプリケーションを実行するナビゲーション処理装置と、
を含んで構成されたカーナビゲーション装置における地図データ更新方法であって、
前記地図管理装置が、
前記ナビゲーション処理装置で実行中のアプリケーションにより利用されている地図データのエリアおよびデータ種別の利用状況の監視結果に基づき、将来利用予定のエリアおよびデータ種別の地図データを予測する地図データ利用予測ステップと、
前記予測したエリアおよびデータ種別の地図データについて、その更新データの配信を前記地図センタに求め、その求めに応じて前記地図センタから配信される更新データを取得する更新データ取得ステップと、
前記取得した更新データを用いて、前記記憶手段に保持した地図を更新する地図データ更新ステップと、
を実行すること
を特徴とする地図データ更新方法。
【請求項２】
前記地図管理装置は、さらに、
所定の条件が成立するごとに、前記更新データを要約したデータであるメタデータの配信を前記地図センタに求め、その求めに応じて前記地図センタから配信されるメタデータを取得するメタデータ取得ステップ
を実行し、
前記更新データ取得ステップでは、その更新対象の地図データを、前記地図データ利用予測ステップでその利用を予測した地図データの中から選択し、前記選択した地図データについて、前記メタデータ取得ステップで取得した前記メタデータに基づき、その更新データを取得すること
を特徴とする請求項１に記載の地図データ更新方法。
【請求項３】
前記所定の条件は、
前記処理装置の動作を開始したとき、前記メタデータを最後に取得してから所定の時間が経過したとき、前記メタデータを最後に取得してから車両が所定の距離を走行したとき、前記地図センタから配信された所定のメタデータ取得指示データを受信したとき、および、所定のメタデータ取得指示データの入力を受け付けたとき、の少なくとも１つであること
を特徴とする請求項２に記載の地図データ更新方法。
【請求項４】
道路データ、施設データ、交通データを含む複数のデータ種別の地図データにより構成されたカーナビゲーション用の地図を保持した記憶手段と、
マスタ地図を保管した地図センタから配信される前記地図の更新データにより、前記記憶手段に保持した地図をエリアおよびデータ種別ごとに更新する地図管理装置と、
カーナビゲーションのアプリケーションを実行するナビゲーション処理装置と、
を含んで構成されたカーナビゲーション装置における地図データ更新プログラムであって、
前記地図管理装置に、
前記ナビゲーション処理装置で実行中のアプリケーションにより利用されている地図データのエリアおよびデータ種別の利用状況の監視結果に基づき、将来利用予定のエリアおよびデータ種別の地図データを予測する地図データ利用予測ステップと、
前記予測したエリアおよびデータ種別の地図データについて、その更新データの配信を前記地図センタに求め、その求めに応じて前記地図センタから配信される更新データを取得する更新データ取得ステップと、
前記取得した更新データを用いて、前記記憶手段に保持した地図を更新する地図データ更新ステップと、
を実行させるための地図データ更新プログラム。
【請求項５】
前記地図管理装置に、さらに、
所定の条件が成立するごとに、前記更新データを要約したデータであるメタデータの配信を前記地図センタに求め、その求めに応じて前記地図センタから配信されるメタデータを取得するメタデータ取得ステップ
を実行させ、
前記更新データ取得ステップでは、その更新対象の地図データを、前記地図データ利用予測ステップでその利用を予測した地図データの中から選択し、前記選択した地図データについて、前記メタデータ取得ステップで取得した前記メタデータに基づき、その更新データを取得させること
を特徴とする請求項４に記載の地図データ更新プログラム。
【請求項６】
前記所定の条件は、
前記処理装置の動作を開始したとき、前記メタデータを最後に取得してから所定の時間が経過したとき、前記メタデータを最後に取得してから車両が所定の距離を走行したとき、前記地図センタから配信された所定のメタデータ取得指示データを受信したとき、および、所定のメタデータ取得指示データの入力を受け付けたとき、の少なくとも１つであること
を特徴とする請求項５に記載の地図データ更新プログラム。
【請求項７】
道路データ、施設データ、交通データを含む複数のデータ種別の地図データにより構成されたカーナビゲーション用の地図を保持した記憶手段と、
マスタ地図を保管した地図センタから配信される前記地図の更新データにより、前記記憶手段に保持した地図をエリアおよびデータ種別ごとに更新する地図管理装置と、
カーナビゲーションのアプリケーションを実行するナビゲーション処理装置と、
を含んで構成されたカーナビゲーション装置であって、
前記地図管理装置が、
前記ナビゲーション処理装置で実行中のアプリケーションにより利用されている地図データのエリアおよびデータ種別の利用状況の監視結果に基づき、将来利用予定のエリアおよびデータ種別の地図データを予測する地図データ利用予測手段と、
前記予測したエリアおよびデータ種別の地図データについて、その更新データの配信を前記地図センタに求め、その求めに応じて前記地図センタから配信される更新データを取得する更新データ取得手段と、
前記取得した更新データを用いて、前記記憶手段に保持した地図を更新する地図データ更新手段と、
を備えたこと
を特徴とするカーナビゲーション装置。
【請求項８】
前記地図管理装置は、さらに、
所定の条件が成立するごとに、前記更新データを要約したデータであるメタデータの配信を前記地図センタに求め、その求めに応じて前記地図センタから配信されるメタデータを取得するメタデータ取得手段
を備え、
前記更新データ取得手段により前記更新データを取得するときには、その更新対象の地図データを、前記地図データ利用予測手段によりその利用を予測した地図データの中から選択し、前記選択した地図データについて、前記メタデータ取得手段により取得した前記メタデータに基づき、その更新データを取得すること
を特徴とする請求項７に記載のカーナビゲーション装置。
【請求項９】
前記所定の条件は、
前記処理装置の動作を開始したとき、前記メタデータを最後に取得してから所定の時間が経過したとき、前記メタデータを最後に取得してから車両が所定の距離を走行したとき、前記地図センタから配信された所定のメタデータ取得指示データを受信したとき、および、所定のメタデータ取得指示データの入力を受け付けたとき、の少なくとも１つであること
を特徴とする請求項８に記載のカーナビゲーション装置。
【手続補正２】
【補正対象書類名】明細書
【補正対象項目名】発明の名称
【補正方法】変更
【補正の内容】
【発明の名称】地図データ更新方法、地図データ更新プログラムおよびカーナビゲーション装置
【手続補正３】
【補正対象書類名】明細書
【補正対象項目名】０００１
【補正方法】変更
【補正の内容】
【０００１】
本発明は、カーナビゲーション装置の地図データを更新する地図データ更新方法および地図データ更新プログラム、ならびに、その地図データ更新方法を適用したカーナビゲーション装置に関する。
【手続補正４】
【補正対象書類名】明細書
【補正対象項目名】０００８
【補正方法】変更
【補正の内容】
【０００８】
以上の従来技術の問題点に鑑み、本発明の目的は、走行中の車両の現在位置や目的地、あるいは、そのときユーザが求めようとしているデータの種別に応じて必要な地図データを、過不足なく更新することが可能な地図データ更新方法、地図データ更新プログラムおよびカーナビゲーション装置を提供することにある。